(57)【要約】  【課題】  従来、葬式などの祭典に出席する際には、香典として現金を不祝儀袋に封入し、受付にて手渡しすることが慣習的に行われている。しかし、袋に封入した現金を受付にて手渡しする方法においては、盗難や紛失のリスクが存在する。  【解決手段】  本発明は、振込み処理の受付後、振込みが行われた金額を示す情報などを含む振込情報をバーコード、あるいは、電子タグとして出力する自動現金預払機を提案するものである。祭典の出席者は、あらかじめ本自動現金預払機を用いて、現金を振り込み、印刷出力されたバーコードや電子タグを、参列の際に受付にて香典として受け渡すことができる。【選択図】            図２
2005216036.tif 000002
【特許請求の範囲】
【請求項１】
振込み処理を受付ける振込部と、
前記振込部にて振込みが行われた金額を示す情報である金額情報を取得する金額情報取得部と
前記金額情報取得部が取得した金額情報を少なくとも含む振込情報を生成する振込情報生成部と、
前記振込情報生成部が生成した振込情報を、前記振込部での振込処理の受付後直ちにバーコードとして印刷出力する出力部と、
を有する自動現金預払機。
【請求項２】
前記振込部は、振込先を示す情報である振込先情報を取得する振込先情報取得手段を有し、
前記出力部は、前記振込先情報とともに、祭典の常套句を印刷出力する常套句印刷手段を有する請求項１に記載の自動現金預払機。
【請求項３】
請求項１又は２に記載の印刷出力が印刷された祭典用袋。
【請求項４】
振込み処理を受付ける振込部と、
前記振込部にて振込みが行われた金額を示す情報である金額情報を取得する金額情報取得部と
前記金額情報取得部が取得した金額情報を少なくとも含む振込情報を生成する振込情報生成部と、
前記振込情報生成部が生成した振込情報を、前記振込部での振込処理の受付後直ちに電子タグ情報として出力する電子タグ出力部と、
を有する自動現金預払機。
【請求項５】
請求項１、２又は４に記載の自動現金預払機による出力を読み取る読取部と、
前記読取部で読取られた振込情報を複数集計するための集計部と、
を有する集計装置。
【請求項６】
前記読取部で読取られた振込情報に基づいて振込ごとに対応して返礼額を計算する返礼額計算部を有する請求項５に記載の集計装置。
【請求項７】
前記振込部は、
祭典の対象となる人物又は、その代理人である祭典主役を特定するための祭典主役識別情報と、
その祭典主役識別情報で識別される祭典主役に関する振込先口座を示す情報である振込先口座情報と、を関連付けた情報である祭典主役口座情報を保持する祭典主役口座情報保持手段と、
前記振込に際して祭典主役口座情報を特定するために前記祭典主役識別情報を入力するための手段である祭典主役識別情報入力手段と、
を有する請求項１、２又は４に記載の自動現金預払機。
【請求項８】
振込み処理を受付ける振込ステップと、
前記振込ステップにおいて振込みが行われた金額を示す情報である金額情報を取得する金額情報取得ステップと、
前記金額情報取得ステップにおいて取得した金額情報を少なくとも含む振込情報を生成する振込情報生成ステップと、
前記振込情報生成ステップにおいて生成した振込情報をバーコードとして印刷出力する出力ステップと、
からなる現金振込方法。
【発明の詳細な説明】
【技術分野】
【０００１】
本発明は、自動現金預払機を用いて、祭典の入金を行うシステムに関するものである。
【背景技術】
【０００２】
従来、葬式などの祭典に出席する際には、香典として現金を不祝儀袋に封入し、受付にて手渡しすることが慣習的に行われている。
【０００３】
一方、通信ネットワークを利用した送金システムとして、現金送金の申し込み情報を受け付けたメインサーバが、配達先となる地域のエリアサーバに申し込み情報を振り分け、これに基づいて配達員が現金を配達する送金システムについてはすでに存在する（特許文献１参照。）。このシステムは、祭典に参列できない場合に、遠隔地の相手へ香典等の現金をより早く届けることを目標とするものである。
【０００４】
【特許文献１】特開２００２−１６３５７３号公報
【発明の開示】
【発明が解決しようとする課題】
【０００５】
しかしながら、袋に封入した現金を受付にて手渡しする方法においては、盗難や紛失のリスクが存在する。
【０００６】
また、上記特許文献に記載の通信ネットワークを利用した送金システムにおいては、葬式へ参列できない場合には有益であるといえるが、依然として遺族が現金の集計や管理を行うことになり煩雑であるといえる。
【０００７】
加えて、インターネットバンキングのような電子的送金においては、葬式に参列する際に香典等を手渡す現在の日本の慣習上受け入れにくいため、利用しにくいといえる。
【課題を解決するための手段】
【０００８】
本発明は、かかる実情に鑑み、振込み処理の受付後、振込みが行われた金額を示す情報などを含む振込情報をバーコード、あるいは、電子タグとして出力する自動現金預払機を提案するものである。祭典の出席者は、あらかじめ本自動現金預払機を用いて、現金を振り込み、印刷出力されたバーコードや電子タグを、参列の際に受付にて香典として受け渡すことができる。このとき、バーコードの他に、振込先を示す情報や、祭典の常套句を印刷出力するとしてもよい。また、バーコードなどは不祝儀袋などの祭典用袋に印刷出力されているとしてもよい。
【０００９】
さらに、本自動現金預払機では、祭典の対象となる人物と、その人物の振込先口座を関連付けた情報で、振込み処理を管理し、祭典の出席者が祭典の対象となる人物を特定するための情報を入力することで振込み処理が受け付ける。
【００１０】
一方本発明では、本自動現金預払機による出力を読み取り、複数の振込情報を集計することができる集計装置も提案する。本集計装置では、読み込まれた振込情報に基づいて振込みごとに対応する返礼額を計算することもできるため、利便性が高い。
【発明の効果】
【００１１】
以上、説明したように本発明の自動現金預払機により、祭典に出席する前に香典等を支払っておけば、受付等においては直接的に現金の受け渡しを行わないため、紛失、盗難を未然に防ぐことができ、安全である。このとき、金額については直接的に記載しないで、バーコードや、電子タグにて管理することで、振込元である祭典の参加者のプライバシーを保護する効果がある。また、振込先の相手に対するお悔やみ等の言葉を記載することができ、祭典の出席者の感情を相手に伝えることができるという効果を有する。
【００１２】
また、実際の香典等はすでに入金済みであっても、振込情報などを記した祭典用袋を手渡すことで、祭典の出席者はお悔やみの気持ちを遺族に伝えることができ、日本の慣習を維持することができる。一方、祭典の出席者は、祭典用袋を購入するために行った店舗にて入金も済ませることができるため、利便性が高い。
【００１３】
他方、自動現金預払機による出力を読み取り、その読取られた振込情報を複数集計するための集計装置によれば、これまで、祭典終了後にひとつひとつ祭典用袋を開いて、氏名と金額を記録し集計する作業を大幅に簡略化でき、集計処理を迅速かつ正確に行うことができるようになる。さらに、受け取った金額に応じて適当な返礼額を即座に計算することができれば、利便性が高い。
【発明を実施するための最良の形態】
【００１４】
以下に、各発明を実施するための最良の形態を説明する。なお、本発明はこれら実施の形態に何ら限定されるものではなく、その要旨を逸脱しない範囲において、種々なる態様で実施しうる。
【００１５】
実施形態１は、主に請求項１、８などについて説明する。
【００１６】
実施形態２は、主に請求項２などについて説明する。
【００１７】
実施形態３は、主に請求項３などについて説明する。
【００１８】
実施形態４は、主に請求項４などについて説明する。
【００１９】
実施形態５は、主に請求項５などについて説明する。
【００２０】
実施形態６は、主に請求項６などについて説明する。
【００２１】
実施形態７は、主に請求項７などについて説明する。
【００２２】
<<実施形態１>>
【００２３】
<実施形態１：概要>  実施形態１について説明する。本実施形態は、振込み処理の受付後、振込みが行われた金額を示す情報などを含む振込情報をバーコードとして印刷出力する自動現金預払機である。
【００２４】
図１は、本実施形態の概念の一例を示す図である。本実施形態の自動現金預払機は、主として、祭典の出席者が祭典の対象となる人物などに対して贈るために現金を振り込む場面で用いられる。まず、祭典への参列に先立って、祭典の出席者は香典として適当な金額の現金を振り込む。自動現金預払機は、この振込み処理を受け付ける（１）。次に、自動現金預払機は、振込みが行われた金額を示す情報である金額情報を取得する（２）。さらに、取得した金額情報を少なくとも含む振込情報を生成する（３）。振り込み情報には、その他、振込元、振込先などに関する情報が含まれている場合が想定される。次に、生成された振込情報はバーコードとして印刷出力する（４）。例えば、葬式に列席する場合には、不祝儀袋に印刷されるとしてもよい。
【００２５】
祭典の出席者は出力されたバーコードを持参して祭典へ出席し、受付等にてこのバーコードを提出することにより、香典を手渡したこととなる。祭典の対象者は、バーコードの読み取りができる装置を備えておくことで、各出席者の入金額が確認できるとしてもよい。また、祭典の対象者は銀行などの金融機関にて祭典の出席者から受け取った香典を換金することができる。
【００２６】
<実施形態１：構成>  本実施形態での機能ブロックの一例を図２に示した。
【００２７】
図２に示す本実施形態の「自動現金預払機」（０２００）は、「振込部」（０２０１）と、「金額情報取得部」（０２０２）と、「振込情報生成部」（０２０３）と、「出力部」（０２０４）と、からなる。
【００２８】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００２９】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００３０】
「自動現金預払機」（０２００）は、現金の払い出し・預け入れ、振り込みなどを行う装置である。本発明においては、コンビニエンスストアなどに設置されているものを想定したものである。
【００３１】
「振込部」（０２０１）は、振込み処理を受付ける。主として、祭典の出席者が祭典の対象となる人物などに対して贈るために現金を振り込む。このとき振込みは、祭典の出席者が祭典への参列に先立って行われることを想定したものである。また、祭典には、葬儀、結婚式などを広く含み、贈られる現金も祝儀、不祝儀を問わない。
【００３２】
また、振込み処理を受付けの際に、所定の条件を満たすかどうかの判断を行い、条件を満たさない場合には振込みができないとしてもよい。所定の条件とは、振込先が適当でない場合などが想定される。これらについては、実施形態７にて詳述する。
【００３３】
「金額情報取得部」（０２０２）は、金額情報を取得する。「金額情報」とは、前記振込部（０２０１）にて振込みが行われた金額を示す情報である。
【００３４】
「振込情報生成部」（０２０３）は、振込情報を生成する。「振込情報」とは、前記金額情報取得部（０２０２）が取得した金額情報を少なくとも含む情報であり、その他、振込み処理が完了したことを示す情報や、振込元、振込先などに関する情報が含まれている場合もある。
【００３５】
「出力部」（０２０４）は、振込情報生成部（０２０３）が生成した振込情報を、前記振込部（０２０１）での振込処理の受付後直ちにバーコードとして印刷出力する。祭典の出席者は出力されたバーコードを持参して祭典へ出席し、受付等にてこのバーコードを提出することにより、香典を手渡したこととなる。祭典の対象者は、バーコードの読み取りができる装置を備えておくことで、各出席者の入金額が確認できるとしてもよい。また、祭典の対象者は銀行などの金融機関にて祭典の出席者から受け取った香典を換金することができる。
【００３６】
<実施形態１：処理の流れ>
【００３７】
図３は、実施形態１での処理の流れの一例を示したものである。本実施形態の自動現金預払機における処理の流れは、以下に示すステップよりなる。
【００３８】
まず、振込み処理を受付ける（振込ステップ  Ｓ０３０１）。次に、振込ステップ（Ｓ０３０１）において振込みが行われた金額を示す情報である金額情報を取得する（金額情報取得ステップ  Ｓ０３０２）。さらに、金額情報取得ステップ（Ｓ０３０２）において取得した金額情報を少なくとも含む振込情報を生成する（振込情報生成ステップ  Ｓ０３０３）。最後に、振込情報生成ステップ（Ｓ０３０３）において生成した振込情報をバーコードとして印刷出力する（出力ステップ  Ｓ０３０４）。
【００３９】
以上の処理は、計算機に実行させるためのプログラムで実行することができ、また、このプログラムを計算機によって読み取り可能な記録媒体に記録することができる。（本明細書の全体を通して同様である。）
【００４０】
<実施形態１：効果>
【００４１】
本実施形態は、振込み処理の受付後、振込みが行われた金額を示す情報などを含む振込情報をバーコードとして印刷出力する自動現金預払機である。これまで、祭典の参加者が持参し受付等にて手渡した香典などは、祭典終了後に祭典の対象者が受け取るまで、管理が十分でない場合があり、紛失や盗難が生じる危険性を伴っていた。しかし、本発明によれば、受付等においては直接的に現金の受け渡しを行わないため、紛失、盗難を未然に防ぐことができ、安全である。
【００４２】
また、祭典の対象者は、バーコードの読み取りができる装置を備えておけば、各出席者の入金額を確認し、確実に管理することが容易となる。さらに、入金額の集計等も迅速、正確に行うことができる。このとき、金額については直接的に記載しないで、バーコードにて記載することで、振込元である祭典の参加者のプライバシーを保護する効果がある。
【００４３】
加えて、祭典の参加者にとっては、古い紙幣や、小額紙幣でも振り込みできるため、相手に贈るためのお札を用意する手間を省くことができる。
【００４４】
<<実施形態２>>
【００４５】
<実施形態２：概要>  実施形態２について説明する。本実施形態は、振込先を示す情報とともに、祭典の常套句を印刷出力することに特徴を有する自動現金預払機である。
【００４６】
<実施形態２：構成>  本実施形態での機能ブロックの一例を図４に示した。
【００４７】
図４に示す本実施形態の「自動現金預払機」（０４００）は、「振込部」（０４０１）と、「金額情報取得部」（０４０２）と、「振込情報生成部」（０４０３）と、「出力部」（０４０４）と、からなり、さらに、振込部（０４０１）は「振込先情報取得手段」（０４０５）を、出力部（０４０４）は「常套句印刷手段」（０４０６）を有する。
【００４８】
「振込先情報取得手段」（０４０５）は、振込先情報を取得する。「振込先情報」は、振込先を示す情報である。振込先となる祭典の対象者の氏名、金融機関名、口座番号などの情報が該当する。自動現金預払機にて祭典の出席者が現金を振り込む際に、キー操作やタッチパネル操作などにより入力する場合などが想定される。
【００４９】
「常套句印刷手段」（０４０６）は、振込先情報とともに、祭典の常套句を印刷出力する。祭典の常套句には、葬儀の場合にはお悔やみの言葉（「御霊前」、「ご愁傷様でございます」など）、結婚式の場合にはお祝いの言葉（「寿」、「ご結婚おめでとうございます」など）が該当する。祭典の常套句は、祭典の出席者が複数の常套句の中から選択できるとしてもよいし、相手に応じて自由な文言を入力できるとしてもよい。上記と同様に、自動現金預払機のキー操作やタッチパネル操作などにより入力する場合などが想定される。
【００５０】
その他各部の処理は実施形態１と同様である。
【００５１】
<実施形態２：効果>
【００５２】
本実施形態は、振込先を示す情報とともに、祭典の常套句を印刷出力することに特徴を有する。振込先の相手に対するお悔やみ、あるいは、お祝いの言葉を記載することができ、祭典の出席者の感情を相手に伝えることができるという効果を有する。
【００５３】
<<実施形態３>>
【００５４】
<実施形態３：概要>  実施形態３について説明する。本実施形態は、実施形態１又は２に記載の印刷出力が印刷された祭典用袋である。
【００５５】
<実施形態３：構成>
【００５６】
図５には、本実施形態の祭典用袋の一例を示した。自動現金預払機において印刷された祭典用袋が、送出される場面を示した。「祭典用袋」は、祝儀袋、不祝儀袋いずれであってもよい。実施形態１の場合には金額情報などを含む振込情報がバーコードとして印刷出力され、実施形態２の場合にはさらに、振込先を示す振込先情報と常套句が印刷出力される。図では、祭典用袋の両面にこれらの情報を印刷する例を示したが、これに限定されるものではなく、片面にすべてを印刷するとしてもよいし、祭典用袋の内側に印刷するとしてもよい。
【００５７】
自動現金預払機は、コンビニエンスストアに設置されているものを想定しているが、コンビニエンスストアにて祭典用袋を購入する際に、香典等を入金することができるため、便利である。
【００５８】
<実施形態３：効果>
【００５９】
本実施形態は、実施形態１又は２に記載の印刷出力が印刷された祭典用袋である。実際の香典等はすでに入金済みであっても、振込情報などを記した祭典用袋を手渡すことで、祭典の出席者はお悔やみの気持ちを遺族に伝えることができ、日本の慣習を維持することができることに意義がある。
【００６０】
また、祭典の出席者は、祭典用袋を購入するために行った店舗にて入金も済ませることができるため、祭典に出席するまでの様々な準備のうちの一部を軽減させることができ、利便性が高い。
【００６１】
<<実施形態４>>
【００６２】
<実施形態４：概要>  実施形態４について説明する。本実施形態は、振込情報を電子タグ情報として出力することに特徴を有する自動現金預払機である。
【００６３】
<実施形態４：構成>  本実施形態での機能ブロックの一例を図６に示した。
【００６４】
図６に示す本実施形態の「自動現金預払機」（０６００）は、「振込部」（０６０１）と、「金額情報取得部」（０６０２）と、「振込情報生成部」（０６０３）と、「電子タグ出力部」（０６０４）と、からなる。
【００６５】
「電子タグ出力部」（０６０４）は、振込情報生成部（０６０３）が生成した振込情報を、前記振込部（０６０１）での振込処理の受付後直ちに電子タグ情報として出力する。「電子タグ」とは、物体の識別に利用されるＩＣチップのことである。電子タグには、自身の識別情報などが記録されており、電波を使って管理システムと情報を送受信する能力をもつ。電子タグは、バーコードよりも大量の情報を保持することができる。したがって、祭典の出席者は、振込情報として、前記金額情報取得部（０６０２）が取得した金額情報や、その他、振込み処理が完了したことを示す情報、振込元などに関する情報（氏名、住所、電話番号など）、振込んだ日時、場所なども保持させることができる。自動現金預払機にて祭典の出席者が現金を振り込む際に、キー操作やタッチパネル操作などにより入力する場合などが想定される。
【００６６】
また、祭典の出席者は出力された電子タグを持参して祭典へ出席し、受付等にてこの電子タグを提出することにより、香典を手渡したこととなる。祭典の対象者は、電子タグの読み取りができる装置を備えておくことで、各出席者の入金額が確認できるとしてもよい。
【００６７】
その他各部の処理は実施形態１と同様である。
【００６８】
<実施形態４：効果>
【００６９】
本実施形態は、振込情報を電子タグ情報として出力することに特徴を有する自動現金預払機である。電子タグは、バーコードよりも大量の情報を保持することができるため、様々な情報を保持させることができる。したがって、香典などの管理を行う祭典の対象者にはより便利であるといえる。
【００７０】
<<実施形態５>>
【００７１】
<実施形態５：概要>  実施形態５について説明する。本実施形態は、自動現金預払機による出力を読み取り、その読取られた振込情報を複数集計するための集計装置である。
【００７２】
図７には、本実施形態の概念の一例を示したものである。まず、集計装置は、自動現金預払機による出力を読み取る（１）。具体的には、自動現金預払機がバーコードや、電子タグとして出力した振込情報を、集計装置に備えられたスキャナーなどを用いて読み取ることなどが該当する。次に、読取られた振込情報を複数集計する（２）。金額の合計を算出することなどが該当する。
【００７３】
<実施形態５：構成>  本実施形態での機能ブロックの一例を図８に示した。
【００７４】
図８に示す本実施形態の「集計装置」（０８００）は、「読取部」（０８０１）と、「集計部」（０８０２）と、からなる。
【００７５】
「読取部」（０８０１）は、実施形態１、２又は４に記載の自動現金預払機による出力を読み取る。自動現金預払機がバーコードや、電子タグとして出力した振込情報を、集計装置に備えられたスキャナーなどを用いて読み取ることなどが該当する。
【００７６】
「集計部」（０８０２）は、読取部（０８０１）で読取られた振込情報を複数集計するための処理を行う。振込情報に含まれる金額情報に基づいて金額の合計を算出することなどが該当する。集計された合計金額は、集計装置の表示画面への表示、プリントアウトなど様々な方法にて出力されるとしてもよい。
【００７７】
「集計装置」（０８００）は、バーコードや、電子タグを読み取ることができるスキャナーなどを備えた装置であり、振込情報を集計するための装置である。必ずしも専用的な装置である必要はない。ここで集計装置は、祭典を代行する葬儀社や、結婚式・披露宴会場であるホテルなどに設置されているとしてもよい。祭典出席者の受付終了後すぐに振込情報の集計が可能となる。
【００７８】
<実施形態５：効果>
【００７９】
本実施形態は、自動現金預払機による出力を読み取り、その読取られた振込情報を複数集計するための集計装置である。これまで、祭典終了後にひとつひとつ祭典用袋を開いて、氏名と金額を記録し集計する作業を行うことが必須であった。しかし、本集計装置により、自動現金預払機がバーコードや、電子タグとして出力した振込情報を読み取り、即座に振込情報の正確な集計が可能となるため、利便性が高い。
【００８０】
<<実施形態６>>
【００８１】
<実施形態６：概要>  実施形態６について説明する。本実施形態は、読取られた振込情報に基づいて振込ごとに対応して返礼額を計算することに特徴を有する集計装置である。
【００８２】
<実施形態６：構成>  本実施形態での機能ブロックの一例を図９に示した。
【００８３】
図９に示す本実施形態の「集計装置」（０９００）は、「読取部」（０９０１）と、「集計部」（０９０２）と、さらに、「返礼額計算部」（０９０３）と、からなる。
【００８４】
「返礼額計算部」（０９０３）は、読取部（０９０１）で読取られた振込情報に基づいて振込ごとに対応して返礼額を計算する。返礼には、葬儀に対する香典返しや、結婚式に対する内祝いなどが含まれる。返礼額としては、振込元である祭典出席者それぞれを同額の返礼額とするとしてもよいし、振込情報に含まれる金額情報に所定の割合をかけた額を返礼額としてもよい。所定の割合は、振り込まれた金額に応じて変更できるとしてもよい。計算された返礼額は、集計装置の表示画面への表示、プリントアウトなど様々な方法にて出力されるとしてもよい。
【００８５】
その他各部の処理は、実施形態５と同様である。
【００８６】
<実施形態６：処理の流れ>
【００８７】
図１０は、実施形態６での処理の流れの一例を示したものである。本実施形態の集計装置における処理の流れは、以下に示すステップよりなる。
【００８８】
まず、自動現金預払機による出力を読み取る（読取ステップ  Ｓ１００１）。次に、読取ステップ（Ｓ１００１）にて読み取られた振込情報を複数集計するための処理を行う（集計ステップ  Ｓ１００２）。最後に、読取ステップ（Ｓ１００１）にて読取られた振込情報に基づいて振込ごとに対応して返礼額を計算する（返礼額計算ステップ  Ｓ１００３）。
【００８９】
<実施形態６：効果>
【００９０】
本実施形態は、読取られた振込情報に基づいて振込ごとに対応して返礼額を計算することに特徴を有する。本集計装置によれば受け取った金額に応じて適当な返礼額を即座に計算することができるため、祭典の対象者の作業を簡略化することができる。また、収支の計算も正確かつ迅速にできる。
【００９１】
<<実施形態７>>
【００９２】
<実施形態７：概要>  実施形態７について説明する。本実施形態は、祭典の対象となる人物等を特定するための祭典主役識別情報と、その祭典主役に関する振込先口座を示す情報である振込先口座情報とを関連付けた情報である祭典主役口座情報を特定するために前記祭典主役識別情報を入力することに特徴を有する自動現金預払機である。
【００９３】
<実施形態７：構成>  本実施形態での機能ブロックの一例を図１１に示した。ここでは、実施形態１にて説明した自動現金預払機を基本とした。
【００９４】
図１１に示す本実施形態の「自動現金預払機」（１１００）は、「振込部」（１１０１）と、「金額情報取得部」（１１０２）と、「振込情報生成部」（１１０３）と、「出力部」（１１０４）と、からなり、さらに、振込部（１１０１）は、「祭典主役口座情報保持手段」（１１０５）と、「祭典主役識別情報入力手段」（１１０６）とを有する。
【００９５】
「祭典主役口座情報保持手段」（１１０５）は、祭典主役口座情報を保持する。「祭典主役口座情報」は、祭典主役識別情報と、振込先口座情報とを関連付けた情報である。一方、「祭典主役識別情報」は祭典の対象となる人物又は、その代理人である祭典主役を特定するための情報であり、「振込先口座情報」はその祭典主役識別情報で識別される祭典主役に関する振込先口座を示す情報である。
【００９６】
祭典主役は、葬儀における喪主などの遺族や葬儀社、あるいは、結婚式における新郎・新婦、両家の親族、仲人や結婚式場などが該当し、祭典主役識別情報はこれらを特定するための識別情報であり、具体的には、暗証番号やパスワード、あるいは、キーワードなどが該当する。祭典の前に、祭典主役が祭典主役識別情報を祭典の出席者に案内状などで通知することが想定される。
【００９７】
また、振込先口座情報は、振込先口座を示す情報であり、金融機関名、支店名、口座の種類、口座番号などが該当する。祭典主役口座情報は、祭典主役識別情報と、振込先口座情報とを関連付けた情報であり、一の祭典主役識別情報に一の振込先口座情報が対応付けられている。
【００９８】
「祭典主役識別情報入力手段」（１１０６）は、前記振込に際して祭典主役口座情報を特定するために前記祭典主役識別情報を入力するための処理を行う。入力は、キー操作やタッチパネル操作などにより入力する場合などが想定される。入力された祭典主役識別情報で識別される祭典主役に関する振込先口座を示す振込先口座情報がある場合には祭典主役口座情報を特定することができるため、振込処理が受け付けられるとしてもよい。
【００９９】
その他各部の処理については、実施形態１、２、４と同様である。
【０１００】
<実施形態７：処理の流れ>
【０１０１】
図１２は、実施形態７での処理の流れの一例を示したものである。本実施形態の自動現金預払機における処理の流れは、以下に示すステップよりなる。
【０１０２】
まず、祭典主役口座情報を特定するために祭典主役識別情報を入力するための処理を行う（祭典主役識別情報入力ステップ  Ｓ１２０１）。
【０１０３】
次に、祭典主役識別情報入力ステップ（Ｓ１２０１）において入力された祭典主役識別情報で識別される祭典主役に関する振込先口座を示す振込先口座情報を関連付けた祭典主役口座情報が特定できるか判断する（判断ステップ  Ｓ１２０２）。
【０１０４】
前記判断ステップ（Ｓ１２０２）において、祭典主役口座情報が特定できるとの判断結果の場合には、以下の処理の流れは、実施形態１の処理の流れと同様になる。つまり、振込み処理を受付け（振込ステップ  Ｓ１２０３）、振込みが行われた金額を示す情報である金額情報を取得し（金額情報取得ステップ  Ｓ１２０４）、取得した金額情報を少なくとも含む振込情報を生成し（振込情報生成ステップ  Ｓ１２０５）、生成した振込情報を出力する（出力ステップ  Ｓ１２０６）。
【０１０５】
一方、判断ステップ（Ｓ１２０２）において、祭典主役口座情報が特定できないとの判断結果の場合には、以下のステップは実行せずに処理を終了する。
【０１０６】
<実施形態７：効果>
【０１０７】
本実施形態は、祭典の対象となる人物等を特定するための祭典主役識別情報と、その祭典主役に関する振込先口座を示す情報である振込先口座情報とを関連付けた情報である祭典主役口座情報を特定するために前記祭典主役識別情報を入力することに特徴を有する。入力された祭典主役識別情報で識別される祭典主役に関する振込先口座を示す振込先口座情報がある場合には祭典主役口座情報を特定することができるため、振込処理が受け付けられるとすれば、祭典の対象者への振込が確実に行われることになり、安心である。
【図面の簡単な説明】
【０１０８】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態３を説明するための概念図
【図６】実施形態４を説明するための機能ブロック図
【図７】実施形態５を説明するための概念図
【図８】実施形態５を説明するための機能ブロック図
【図９】実施形態６を説明するための機能ブロック図
【図１０】実施形態６の処理の流れを説明する図
【図１１】実施形態７を説明するための機能ブロック図
【図１２】実施形態７の処理の流れを説明する図
【符号の説明】
【０１０９】
０２００    自動現金預払機
０２０１    振込部
０２０２    金額情報取得部
０２０３    振込情報生成部
０２０４    出力部
【図１】
2005216036.tif 000003
【図２】
2005216036.tif 000004
【図３】
2005216036.tif 000005
【図４】
2005216036.tif 000006
【図５】
2005216036.tif 000007
【図６】
2005216036.tif 000008
【図７】
2005216036.tif 000009
【図８】
2005216036.tif 000010
【図９】
2005216036.tif 000011
【図１０】
2005216036.tif 000012
【図１１】
2005216036.tif 000013
【図１２】
2005216036.tif 000014